(57)【要約】【課題】二重床を施工する際に、二重床が所望の剛性強度を備えるような構造とし、また、その施工の施工効率を向上させる。【解決手段】本発明の二重床の床下部構造は、所有者が占有するコンクリートスラブ床の外周部に配設される際根太と、床下地材を裁置するためにコンクリートスラブ床の外周内に配設される床根太と、を備え、それぞれが隣接する隣接部で連結して組み施工することにより、所定強度が付与されている。居室を仕切る間仕切り壁の下方で、床下地材を介して配設される床根太には、その長尺方向に沿って、且つ、コンクリートスラブ床から床根太の高さ内に立設させて、遮蔽板を設ける。また、床下地材が居室を仕切る間仕切り壁の底部に敷設される際には、床下地材を介して居室の振動が隣室に伝わらないように、床下地材を切断もしくは対向させて隙間を空ける。【選択図】図５
2004251105.tif 000002
【特許請求の範囲】
【請求項１】
所有者が占有するコンクリートスラブ床の外周部に配設される際根太と、床下地材を裁置するために前記コンクリートスラブ床の外周内に配設される床根太と、を備えて施工される二重床の床構造であって、前記際根太および前記床根太は、それぞれが隣接する隣接部で連結して組み施工することにより自立し、所定強度が付与されることを特徴とする二重床の床下部構造。
【請求項２】
前記床根太は、前記床下地材のサイズもしくは撓み強度に対応させ、それぞれの前記床根太の施工間隔が均等になるようにして施工されていることを特徴とする請求項１に記載の二重床の床下部構造。
【請求項３】
前記際根太および前記床根太は、その長尺方向に複数の高さ調節手段が設けられ、前記際根太および前記床根太の縦方向の貫通孔に固定されたナットと、前記ナットに螺接するボルトを備えていることを特徴とする請求項１または２に記載の二重床の床下部構造。
【請求項４】
前記ボルトは、その上端にドライバーが係合する係合部と、その下端に設けた水平リングおよび／または弾性台部材を備えていることを特徴とする請求項１ないし３の何れかに記載の二重床の床下部構造。
【請求項５】
前記床根太には、前記コンクリートスラブ床から前記床根太の高さ内に立設させて、遮蔽板を設けたことを特徴とする請求項１ないし４の何れかに記載の二重床の床下部構造。
【請求項６】
前記床下地材が居室を仕切る間仕切り壁の底部に敷設される際には、前記床下地材を介して居室の振動が隣室に伝わらないように、前記床下地材を切断もしくは対向させて、隙間を空けたことを特徴とする請求項１ないし５の何れかに記載の二重床の床下部構造。
【請求項７】
所有者が占有するコンクリートスラブ床の外周部に配設される際根太と、床下地材を裁置するために前記コンクリートスラブ床の外周内に配設される床根太と、を備えて施工される二重床の施工方法であって、前記際根太および前記床根太は、それぞれが隣接する隣接部で連結して組み施工され、床下地材を配設した後に居室を仕切る間仕切り壁が施工されることを特徴とする二重床の床下部構造の施工法。
【請求項８】
前記床根太を施工する際に、前記際根太の高さで前記床根太を連結して施工するレベル調節段階を有していることを特徴とする請求項７に記載の二重床の床下部構造の施工法。
【発明の詳細な説明】
【技術分野】
【０００１】
本発明は、鉄筋コンクリート製（鉄骨、鉄骨鉄筋コンクリート製を含む）建築物の二重床の床下部構造、及び、その施工法に関する。
【背景技術】
【０００２】
鉄筋コンクリート製（鉄骨、鉄骨鉄筋コンクリート製を含む）の建築物においては、コンクリートスラブ床の上に支持脚を配設し、その上に、パーティクルボードを載せることにより、床を二重床構造にして施工する。即ち、このように施工した場合には、上下階に生活音が伝わり難い遮音性に優れた床になり、二重床としたその隙間には、電気の配線や給排水のための配管を通すことができるようになることから、一般的に実施されているものとなっている。このような構造の二重床は、居室を仕切る間仕切り壁を立設した後に施工される場合と、二重床を敷設した後に、間仕切り壁を立設して施工される場合とがある。本出願人は、特開２００１−５６２２２号公報で、コンクリートスラブ床上の施工現場で、床根太を効率良く基準高さに施工する手段として、レザー光受け具並びにそれを用いた建設又は建築部材の施工方法を開示している。また、床先行工法において、特開２００２−００４５５０号公報に、間仕切り壁を支持する壁支持部材に特徴がある二重床構造を開示し、特開２００２−２３５３９９号公報では、このような、二重床を施工する際に利用される施工部材及びこれを用いた施工方法を開示した。これにより、二重床の遮音性がさらに向上し、また、施工高さが均一な二重床が提供できるものとなっている。しかし、この二重床は高度な技術で施工されることにより、施工費用が嵩むので、これを改善する為に施工効率を向上させてコスト低減を図り、また、床の剛性を更に向上させる要望があった。
【特許文献１】特開２００１−５６２２２号公報
【特許文献２】特開２００２−００４５５０号公報
【特許文献３】特開２００２−２３５３９９号公報
【発明の開示】
【発明が解決しようとする課題】
【０００３】
二重床を施工する際に、二重床が所望の剛性強度を備えるような構造とし、また、その施工の施工効率を向上させる。
【課題を解決するための手段】
【０００４】
上記目的を達成するために、二重床の床下部構造は、所有者が占有するコンクリートスラブ床の外周部に配設される際根太と、床下地材を裁置するために前記コンクリートスラブ床の外周内に配設される床根太と、を備えて施工される二重床の床構造であって、前記際根太および前記床根太は、それぞれが隣接する隣接部で連結して組み施工することにより自立し、所定強度が付与されることを特徴とする。また、床根太は前記床下地材のサイズもしくは撓み強度に対応させ、それぞれの前記床根太の施工間隔が均等になるようにして施工されていることを特徴とする。前記際根太および前記床根太は、その長尺方向に複数の高さ調節手段が設けられ、前記際根太および前記床根太の縦方向の貫通孔に固定されたナットと、前記ナットに螺接するボルトを備えていることを特徴とする。前記ボルトは、その上端にドライバーが係合する係合部と、その下端に設けた水平リングおよび／または弾性台部材を備えていることを特徴とする。前記床根太には、前記コンクリートスラブ床から前記床根太の高さ内に立設させて、遮蔽板を設けたことを特徴とする。
前記床下地材が居室を仕切る間仕切り壁の底部に敷設される際には、前記床下地材を介して居室の振動が隣室に伝わらないように、前記床下地材を切断もしくは対向させて、隙間を空けたことを特徴とする。
【０００５】
二重床の床下部構造の施工法は、所有者が占有するコンクリートスラブ床の外周部に配設される際根太と、床下地材を裁置するために前記コンクリートスラブ床の外周内に配設される床根太と、を備えて施工される二重床の施工方法であって、前記際根太および前記床根太は、それぞれが隣接する隣接部で連結して組み施工され、床下地材を配設した後に居室を仕切る間仕切り壁が施工されることを特徴とする。前記床根太を施工する際に、前記際根太の高さで前記床根太を連結して施工するレベル調節段階を有していることを特徴とする。
【発明の効果】
【０００６】
本発明の二重床の床下部構造は、施工される根太材（際根太および床根太）が、隣接部を連結して組み施工されるので、根太材が自立し、倒れたりレベルの狂いが生じないものとなるとともに床の剛性強度が向上し、建具の狂いや床鳴り等の問題が起きないものとなる。また、床下地材に対応させて床根太の施工間隔を決定し、それらが均等になるようにして施工されるので、床根太の無駄がない。根太材は高さが施工現場で調節できるものであることにより、その上面で均一な面が容易に形成できる。弾性台部材は、弾性部と剛性部とを備えているので、床下地材が重量物を支えている箇所では堅固に支え、人が通常行き来する箇所では床弾性を備えたものとなる。遮蔽板は床の下部を伝わる音を減衰させる。さらに、床下地材を切断もしくは対向させて隙間を空けて構成した場合には、居室の振動が隣室に伝わり難くなる。
【０００７】
二重床の床下部構造の施工法において、隣接部を連結して組み施工することにより、床の剛性強度が向上するものとなり、且つ、間仕切り壁は、床根太の上に配設された床下地材の上に施工されるので、施工効率が向上し、施工現場で裁断される根太材の無駄もなくなる。また、連結する側の床根太の高さは、連結される側の根太材（際根太もしくは床根太）の高さに合わせて連結するレベル調節段階を有することで、高さレベルを容易に決めることができ施工効率を向上させることができる。
【発明を実施するための最良の形態】
【０００８】
二重床が所望の剛性強度を備えるように、際根太および床根太のそれぞれを隣接する隣接部で連結して組み施工することにより実現した。また、その施工の施工効率を向上させるために、連結する側の際根太および床根太の高さが、連結される側の際根太もしくは床根太の高さに合わせて調節されるようにした。
【実施例１】
【０００９】
本発明の実施例を図面に基づいて詳細に説明する。本発明の二重床の床下部構造１は、図１もしくは図５に示すように、所有者が占有する区画されたコンクリートスラブ床８の外周部に配設される際根太２ａ、及び、コンクリートスラブ床８の外周部内に配置される床根太２ｂが、それぞれ連結されて組み施工されるものである。床根太２ｂは、図５に示すように、パーティクルボード６（床下地材）のサイズに対応させて、コンクリートスラブ床８上に適宜間隔で配設される。また、居室を仕切る間仕切り壁５は、パーティクルボード６（床下地材）を介して、床根太２ｂの長尺方向に裁置するようにして立設される。即ち、床根太２ｂは、間仕切り壁５の配置やパーティクルボード６のサイズに対応させ、もしくはパーティクルボード６の撓み強度に対応させて配置され、所望の床剛性強度が得られるように、それぞれが連結されて施工される。
【００１０】
施工効率を向上させるために、間仕切り壁５、５ａはパーティクルボード６の上に載せて二重床を施工した後に立設させる。このように施工することにより、床根太２ｂは、間仕切り壁５、５ａで仕切られることなく施工でき、施工現場で裁断する手間や床根太２ｂが節約できる。尚、間仕切り壁５、５ａは、床根太２ｂの長尺方向に施工する場合と、所定間隔で連続的に並べた床根太２ｂの短尺方向に施工する場合とがあるが、何れの場合においても、床根太２ｂは、間仕切り壁５、５ａを支持するに足る十分な強度を持つものが配設される。
【００１１】
際根太２ａおよび床根太２ｂは、図２に示したように、角柱形状の根太材３の長尺方向に、高さ調節手段を複数箇所設けたシステム根太２が利用できる。このシステム根太２は高さ調節手段として、根太材３の縦方向に貫通孔３ｇが設けられると共に、貫通孔３ｇ内に固定したナット３ａおよびナット３ａに螺接するボルト３ｂを備えている。また、ボルト３ｂには、その上端に係合部３ｅが設けられると共に、その下端には水平リング３ｃが設けられている。これにより、システム根太２をコンクリートスラブ床８上に載置した状態で、高さを調節する際には、ドライバー等をボルト３ｂの係合部３ｅに係合し、回転させることにより、システム根太２を上下させる。さらに、弾性部材のキャップ３ｄ（弾性台部材）を水平リング３ｃに取り付けた場合は、システム根太２が荷重に対して若干沈むクッション性を備える。即ち、居室内において、人が歩く箇所では床が柔らかいクッション性を備えたものとなる。
【００１２】
図３の（ａ）、（ｂ）は、隣接するシステム根太２を連結する際に利用される連結部材７をそれぞれ示したものであり、それぞれ水平な平面を有する載置部９、及び、垂直な垂直部１０を備えている。これらの連結部材７は、貫通孔７ａが、複数箇所設けられており、一方のシステム根太２を釘等で固定した後に、他方のシステム根太２をそれぞれ載置部９に載置させて、直角または直列に固定できるものである。同様に、載置部９に接着剤を塗布し（又は、両面接着テープを貼り付けて）、双方のシステム根太２を接着して固定することもできる。即ち、図３の（ａ）は、図４の（ａ）に示すように、角部でシステム根太２を直角に連結する際に利用されるものであり、図３の（ｂ）は、図４の（ｂ）に示すように、システム根太２を直列に連結する際に利用されるものである。また、このような連結部材７は、既に、水平レベルが決定されているシステム根太２と、隣接するシステム根太２とを連結する際に利用されるものであるが、システム根太２相互の端部に限定されず、一方のシステム根太２の中間部に、他方のシステム根太２の端部を連結すること等、適宜実施される。
【００１３】
図３の（ｃ）は、ネジ切りされた貫通孔１１ａに、ボルト１１ｂが螺合するように形成された受け金具１１を示したものである。この受け金具１１は、図４の（ｃ）に示すように、システム根太２の底部に当てて利用されるものであり、システム根太２の仮受けとして用いられたり、施工時のシステム根太２の補強用に利用されるものである。
尚、連結部材７及び受け金具１１は、貫通孔７ａや貫通孔１１ａを備えた金属製のものとする必要はなく、例えば、木製の板材で一対のシステム根太２を接着剤、釘、ビス等で固定するようにしてもよい。また、一対のシステム根太２の連結部において連結する手段は、連結部材７を必ずしも利用することに限定するものではなく、例えば、パーティクルボード６を利用して、その上から、一対のシステム根太２の連結部に釘等を打ち込むことにより、システム根太２を連結するようにしてもよい。
【００１４】
以上のように構成される二重床の床下部構造１は、コンクリートスラブ床８上において、電気の配線や給排水の配管と共に、システム根太２が配設されるので、それぞれのシステム根太２が全て連結されない場合もある。また、システム根太２が充分な強度を備えるように配置されているような場合においては、必ずしも連結されない箇所もある。しかし、システム根太２を配設する際、隣接するシステム根太２を連結することにより、システム根太２は、その水平レベルが均一なものとして施工し易く、施工効率が向上すると共に、床剛性が向上する。従って、出来るだけシステム根太２を連結して、効率良く床を施工するのが良い。
【００１５】
図６は居室を仕切る間仕切り壁５が、パーティクルボード６（床下地材）を介して床根太２ｂ（システム根太）の上で支えられ、床根太２ｂの長尺方向に沿って遮蔽板１５が備えられていることを示したものである。この遮蔽板１５は、コンクリートスラブ床８から床根太２ｂの高さ内に立設させて設けられる。このように遮蔽板１５を設けることにより、パーティクルボード６とコンクリートスラブ床８との間の空間が居室単位で区切られ、ある居室で発生した音は他の居室に伝わり難いものとなる。尚、遮蔽板１５は、必ずしも居室を仕切る間仕切り壁５の底部で、床根太２ｂの長尺方向に沿って設けられる必要はなく、居室領域内に配設されている床根太２ｂの任意の箇所に設け、より音が伝播し難いものとしてもよい。
音が伝播し難いものとする二重床の床下部構造１としては、間仕切り壁５の底部でパーティクルボード６を対向させて配置させることにより、若干の隙間１４を設ける構成としてもよい。この隙間１４を設けることにより、パーティクルボード６を伝わって居室の振動が隣室に伝わらなくなる。
【００１６】
本発明の二重床の床下部構造１で実施される施工法は（図５参照）、他の工法に比べて、施工効率を大幅に向上させることができる。その施工手順は、先ず、際根太２ａをコンクリートスラブ床８の外周で、所定の高さとなるように高さ調節すると共に、隣接するそれぞれの際根太２ａの隣接部を連結して施工する。このように施工された際根太２ａは、高さが固定されているので、その高さに合うように、順次、居室を仕切る間仕切り壁５、５ａの底部、及び、パーティクルボード６（床下地材）のサイズに合わせてパーティクルボード６の底部に床根太２ｂを隣接させて配設し、さらに、隣接するそれぞれの床根太２ｂの隣接部を連結（レベル調節段階）して施工する。
【００１７】
他の施工手順は、床根太２ｂを際根太２ａの高さレベルに合うようにするレベル調節段階が、所定レベルで張設して設けられた張り糸（図省略）を利用するものであり、この張り糸に床根太２ｂの上面を当接させて行うものである。この場合、張り糸は一方を際根太２ａに結合するとともに他方を他の際根太２ａもしくはレベル指示柱（図省略）に掛け渡して設けられる。また、レベル指示柱は、コンクリートスラブ床８から天井に垂直に立てたものであり、レーザー光等で床根太２ｂの施工高さが標記されたものである。
【００１８】
図７は、張り糸に替えて、長尺規２０（長尺な定規）等を掛け渡し、この長尺な定規２０の底面に床根太２ｂの上面を当接させて（図中Ｙ−Ｙ間の隙間を閉じるようにして）、施工高さを決めるようにしたものである。この場合、左右の床根太２ｂ（もしくは際根太２ａでもよい）は、上述したレーザー光等で施工高さが決められたものである。このように長尺規２０を利用した場合には、施工高さが決められた床根太２ｂ間に、施工高さが決められていない床根太２ｂが容易に施工されるものとなる。
【００１９】
表１は、施工効率に関する実施データを示したものであり、専有面積７７、２ｍ２、二重床面積６８、１ｍ２のマンションで実施されたものである。
表１において、１、壁先行工法は、区画されたコンクリートスラブ床上に、居室を仕切る間仕切り壁５を立設する際、先に、間仕切り壁５を立設した後に、二重床工事（根太工事及び床工事）を行うものであり、２、床先行工法（壁下補強）は、二重床工事（根太工事及び床工事）を、先に行うが、壁下に支持脚等の補強部材を敷設するものであり、３、床先行工法（本願）は、上述した本発明の施工手順による施工法である。
【００２０】
【表１】
2004251105.tif 000003
【００２１】
上記表１に示したように、従来の在来際根太を利用した施工法に比べて施工日数は、６０％（３．７日から１．５日）削減され、また、床先行工法（壁下補強）と比較しても２９％（２．１日から１．５日）施工日数が削減できた。尚、３、床先行工法（本願）においては、根太工事と、床工事を同一人が行った為、区分けが難しく、便宜上、同率の配分とした。
【００２２】
上記表１に示されるように、施工効率が向上する理由は、根太のレベル出しが早く出来ることにある。即ち、システム根太（床根太もしくは際根太）が長尺であり、それぞれのシステム根太が連結される事で、隣のシステム根太と一体化され、これにより、隣のシステム根太がボルトの調節で、その高さレベルが大体決められることによる。また、システム根太を直列に連結することにより、連結されたシステム根太は長尺なものとなるが、長尺なシステム根太の左右端部で、高さ調節をすることにより、中間部で、ボルトの調節が容易なものとなることによる。即ち、床先行工法であるので、間仕切り壁がないから、作業者の動きも楽で早くなるのであるが、床板をカットする必要がない事、レベルが出ている根太と、根太に合わせて置床のレベルが出せる事、壁の障害がないから長尺規でレベル合わせが可能な事、等の理由により施工効率が向上する。
【図面の簡単な説明】
【００２３】
【図１】二重床の床下部構造を説明するための説明図である。
【図２】高さ調節手段が複数個設けられたシステム根太の斜視図である。
【図３】（ａ）、（ｂ）、（ｃ）は、其々、連結部材の斜視図である。
【図４】（ａ）、（ｂ）、（ｃ）は、其々、其々図３の連結部材を利用したシステム根太の連結を説明する説明図である。
【図５】二重床の上に間仕切り壁が構築されることを説明する説明図である。
【図６】間仕切り壁の下方構造を説明する説明図である。
【図７】長尺規を利用した床根太のレベル調節を説明する説明図である。
【符号の説明】
【００２４】
１  二重床の床下部構造
２  システム根太
２ａ  際根太
２ｂ  床根太
３  根太材
３ａ  ナット
３ｂ  ボルト
５  間仕切り壁
６  パーティクルボード（床下地材）
７  連結部材
８  コンクリートスラブ床
１４  隙間
１５  遮蔽板
２０  長尺規
【図１】
2004251105.tif 000004
【図２】
2004251105.tif 000005
【図３】
2004251105.tif 000006
【図４】
2004251105.tif 000007
【図５】
2004251105.tif 000008
【図６】
2004251105.tif 000009
【図７】
2004251105.tif 000010